(57)【要約】  本発明は、表示駆動方法及び装置を提供する。前記表示駆動方法は各画像画素の元の階調データによって各画像画素が肌色範囲内にあるか否かを判断することができ、色ずれ補正処理を行う際に、前記肌色範囲内にある画像画素のみに対して色ずれ補正処理を行い、残りの画像画素に対して色ずれ補正処理を行わず、色ずれ補正効果を向上させ、色ずれ補正によるざらつき感を低減させ、表示効果を改善することができる。【選択図】図１
2021505079.tif 000002
【特許請求の範囲】
【請求項１】
表示画面を受信し、前記表示画面における各画像画素の元の階調データを取得するステップＳ１と、
各画像画素の元の階調データによって前記画像画素が、予め設定された境界関数によって決定される肌色範囲内にあるか否かを判断するステップＳ２と、
前記肌色範囲内にある画像画素の元の階調データに対して色ずれ補正処理を行い、補正階調データを生成するステップＳ３と、
前記肌色範囲内の画像画素を補正階調データで駆動して表示し、前記肌色範囲外の画像画素を元の階調データで駆動して表示するステップＳ４と、を含む表示駆動方法。
【請求項２】
前記画像画素のそれぞれは、第１原色成分、第２原色成分及び第３原色成分という３種の異なる色の原色成分を含み、
前記画像画素のそれぞれの元の階調データが、第１原色成分の元の階調値、第２原色成分の元の階調値及び第３原色成分の元の階調値を含む請求項１に記載の表示駆動方法。
【請求項３】
前記ステップＳ３は具体的に、
前記肌色範囲内にある画像画素のうち少なくとも１つの色の原色成分を対象成分として選択することと、
前記画像画素の各対象成分の元の階調値に対して色ずれ補正処理を行い、前記対象成分に対応する第１表示階調値及び第２表示階調値を生成し、前記第１表示階調値が前記第２表示階調値よりも大きいことと、
前記画像画素の元の階調データにおける各対象成分の元の階調値を、各対象成分の前記第１表示階調値及び前記第２表示階調値に置き換えて、補正階調データを得ることと、を含む請求項２に記載の表示駆動方法。
【請求項４】
前記予め設定された境界関数は第１境界関数及び第２境界関数を含み、ある画像画素の第１原色成分の元の階調値、第２原色成分の元の階調値及び第３原色成分の元の階調値が、第１境界関数を満たすとともに、第２境界関数を満たす場合に、前記画像画素が前記肌色範囲内にあると判定し、そうでない場合に、前記画像画素が前記肌色範囲外にあると判定し、
前記第１境界関数は、ｒ＋Ａ１×ｇ＋Ｂ１×ｂ＋Ｃ１≧０であり、前記第２境界関数は、ｒ＋Ａ２×ｇ＋Ｂ２×ｂ＋Ｃ２≦０であり、
ここで、ｒ、ｇ、ｂはある画像画素における第１原色成分の元の階調値、第２原色成分の元の階調値及び第３原色成分の元の階調値をそれぞれ表し、Ａ１、Ａ２、Ｂ１、Ｂ２、Ｃ１及びＣ２はいずれも予め設定された定数である請求項２に記載の表示駆動方法。
【請求項５】
前記予め設定された境界関数は、前記肌色範囲を閉じた３次元空間に限定し、前記肌色範囲内にあって前記３次元空間のエッジに近い第１画像画素と、前記肌色範囲にあって前記３次元空間のエッジから遠い第２画像画素とに対して、色ずれ補正処理を行う場合に、前記第１画像画素における色毎の対象成分の前記第１表示階調値と前記第２表示階調値との差が、前記第２画像画素における同一色の対象成分の前記第１表示階調値と前記第２表示階調値との差よりも小さくする請求項３に記載の表示駆動方法。
【請求項６】
受信ユニットと、前記受信ユニットに接続される判断ユニットと、前記判断ユニットに接続される処理ユニットと、前記処理ユニットに接続される駆動ユニットとを含み、
前記受信ユニットは、表示画面を受信して、前記表示画面における各画像画素の元の階調データを取得するために用いられ、
前記判断ユニットは、各画像画素の元の階調データによって前記画像画素が、予め設定された境界関数によって決定される肌色範囲内にあるか否かを判断するために用いられ、
前記処理ユニットは、前記肌色範囲内にある画像画素の元の階調データに対して色ずれ補正処理を行い、補正階調データを生成するために用いられ、
前記駆動ユニットは、前記肌色範囲内の画像画素を補正階調データで駆動して表示し、前記肌色範囲外の画像画素を元の階調データで駆動して表示するために用いられる表示駆動装置。
【請求項７】
前記画像画素のそれぞれは、第１原色成分、第２原色成分及び第３原色成分という３種の異なる色の原色成分を含み、
前記画像画素のそれぞれの元の階調データが、第１原色成分の元の階調値、第２原色成分の元の階調値及び第３原色成分の元の階調値を含む請求項６に記載の表示駆動装置。
【請求項８】
前記処理ユニットは、前記肌色範囲内にある画像画素のうち少なくとも１つの色の原色成分を対象成分として選択するとともに、前記画像画素の各対象成分の元の階調値に対して色ずれ補正処理を行い、前記対象成分に対応する第１表示階調値及び第２表示階調値を生成し、前記第１表示階調値が前記第２表示階調値よりも大きくて、前記画像画素の元の階調データにおける各対象成分の元の階調値を、各対象成分の前記第１表示階調値及び前記第２表示階調値に置き換えて、補正階調データを得るために用いられる請求項７に記載の表示駆動装置。
【請求項９】
前記予め設定された境界関数は第１境界関数及び第２境界関数を含み、ある画像画素の第１原色成分の元の階調値、第２原色成分の元の階調値及び第３原色成分の元の階調値が第１境界関数を満たすとともに、第２境界関数を満たす場合に、前記画像画素が肌色範囲内にあると判定し、そうでない場合に、前記画像画素が肌色範囲外にあると判定し、
前記第１境界関数は、ｒ＋Ａ１×ｇ＋Ｂ１×ｂ＋Ｃ１≧０であり、前記第２境界関数は、ｒ＋Ａ２×ｇ＋Ｂ２×ｂ＋Ｃ２≦０であり、
ここで、ｒ、ｇ、ｂはある画像画素における第１原色成分の元の階調値、第２原色成分の元の階調値及び第３原色成分の元の階調値をそれぞれ表し、Ａ１、Ａ２、Ｂ１、Ｂ２、Ｃ１及びＣ２はいずれも予め設定された定数である請求項７に記載の表示駆動装置。
【請求項１０】
前記予め設定された境界関数は、前記肌色範囲を閉じた３次元空間に限定し、前記肌色範囲内にあって前記３次元空間のエッジに近い第１画像画素と、前記肌色範囲にあって前記３次元空間のエッジから遠い第２画像画素とに対して、前記処理ユニットが色ずれ補正処理を行う場合に、さらに前記第１画像画素における色毎の対象成分の前記第１表示階調値と前記第２表示階調値との差が、前記第２画像画素における同一色の対象成分の前記第１表示階調値と前記第２表示階調値との差よりも小さくするために用いられる請求項８に記載の表示駆動装置。
【請求項１１】
表示画面を受信し、前記表示画面における各画像画素の元の階調データを取得するステップＳ１と、
各画像画素の元の階調データによって前記画像画素が、予め設定された境界関数によって決定される肌色範囲内にあるか否かを判断するステップＳ２と、
前記肌色範囲内にある画像画素の元の階調データに対して色ずれ補正処理を行い、補正階調データを生成するステップＳ３と、
前記肌色範囲内の画像画素を補正階調データで駆動して表示し、前記肌色範囲外の画像画素を元の階調データで駆動して表示するステップＳ４と、を含み、
前記画像画素のそれぞれは、第１原色成分、第２原色成分及び第３原色成分という３種の異なる色の原色成分を含み、
前記画像画素のそれぞれの元の階調データが、第１原色成分の元の階調値、第２原色成分の元の階調値及び第３原色成分の元の階調値を含み、
前記ステップＳ３は具体的に、
前記肌色範囲内にある画像画素のうち少なくとも１つの色の原色成分を対象成分として選択することと、
前記画像画素の各対象成分の元の階調値に対して色ずれ補正処理を行い、前記対象成分に対応する第１表示階調値及び第２表示階調値を生成し、前記第１表示階調値が前記第２表示階調値よりも大きいことと、
前記画像画素の元の階調データにおける各対象成分の元の階調値を、各対象成分の前記第１表示階調値及び前記第２表示階調値に置き換えて、補正階調データを得ることと、を含み、
前記予め設定された境界関数は第１境界関数及び第２境界関数を含み、ある画像画素の第１原色成分の元の階調値、第２原色成分の元の階調値及び第３原色成分の元の階調値が第１境界関数を満たすとともに、第２境界関数を満たす場合に、前記画像画素が肌色範囲内にあると判定し、そうでない場合に、前記画像画素が肌色範囲外にあると判定し、
前記第１境界関数は、ｒ＋Ａ１×ｇ＋Ｂ１×ｂ＋Ｃ１≧０であり、前記第２境界関数は、ｒ＋Ａ２×ｇ＋Ｂ２×ｂ＋Ｃ２≦０であり、
ここで、ｒ、ｇ、ｂはある画像画素における第１原色成分の元の階調値、第２原色成分の元の階調値及び第３原色成分の元の階調値をそれぞれ表し、Ａ１、Ａ２、Ｂ１、Ｂ２、Ｃ１及びＣ２はいずれも予め設定された定数であり、
前記予め設定された境界関数は、前記肌色範囲を閉じた３次元空間に限定し、前記肌色範囲内にあって前記３次元空間のエッジに近い第１画像画素と、前記肌色範囲にあって前記３次元空間のエッジから遠い第２画像画素とに対して、色ずれ補正処理を行う場合に、前記第１画像画素における色毎の対象成分の前記第１表示階調値と前記第２表示階調値との差が、前記第２画像画素における同一色の対象成分の前記第１表示階調値と前記第２表示階調値との差よりも小さくする表示駆動方法。
【発明の詳細な説明】
【技術分野】
【０００１】
本発明は、表示技術分野に関し、特に表示駆動方法及び装置に関する。
【背景技術】
【０００２】
液晶ディスプレイ（Ｌｉｑｕｉｄ  Ｃｒｙｓｔａｌ  Ｄｉｓｐｌａｙ，ＬＣＤ）は、薄型、省電力、無輻射などの多くの利点を有するため、液晶テレビ、携帯電話、携帯情報端末（ＰＤＡ）、デジタルカメラ、コンピュータ画面又はノートパソコン画面などに幅広く適用されており、フラットパネルディスプレイ分野で主導的地位を占める。
【０００３】
現在市販されている液晶ディスプレイの大部分は、液晶表示パネルとバックライトモジュール（Ｂａｃｋｌｉｇｈｔ  Ｍｏｄｕｌｅ）とを含むバックライト型液晶ディスプレイである。液晶表示パネルの動作原理は、薄膜トランジスタアレイ基板（Ｔｈｉｎ  Ｆｉｌｍ  Ｔｒａｎｓｉｓｔｏｒ  Ａｒｒａｙ  Ｓｕｂｓｔｒａｔｅ，ＴＦＴ  Ａｒｒａｙ  Ｓｕｂｓｔｒａｔｅ）とカラーフィルタ基板（Ｃｏｌｏｒ  Ｆｉｌｔｅｒ，ＣＦ）との間に液晶分子を注入するとともに、両基板に駆動電圧を印加して液晶分子の回転方向を制御することで、バックライトモジュールの光を屈折させて画面を生成することである。
【０００４】
液晶分子は光学的異方性を有するため、液晶パネルには広視野角における色ずれ問題がある。液晶パネルの広視野角における色ずれ現象を解決するために、従来技術の方法は、マルチドメイン画素構造を採用し、色ずれ補正アルゴリズムによって入力されたデータ信号電圧を前処理することを含む。マルチドメイン画素構造は、画像画素における各サブ画素をいずれもより小さい表示ユニットに細分化し、例えば１つのサブ画素をメイン領域（Ｍａｉｎ）及びサブ領域（Ｓｕｂ）に分ける。メイン領域とサブ領域との駆動電圧が一定の割合になることで、メイン領域及びサブ領域に対応する液晶分子を異なる角度に偏向させるため、異なる角度からいずれも良好な視聴効果を得ることができる。色ずれ補正アルゴリズムの具体的な実施ステップは、表示すべき画像の各画像画素の各原色成分の元の階調値に応じて第１表示階調値及び第２表示階調値をそれぞれ生成し、第１表示階調値及び第２表示階調値を利用して液晶パネルにおける同一色の２つのサブ画素の表示輝度をそれぞれ制御する。第１表示階調値が第２表示階調値よりも大きいことにより、２つのサブ画素に印加される駆動電圧が異なり、２つのサブ画素の液晶分子を異なる角度に偏向させることで、異なる角度から画面を見て良好な視聴効果を得ることができ、色ずれを低減する目的を達成する。
【０００５】
通常、１つの画像は、赤、緑、青の３原色成分からなる複数の画像画素から構成される。画像の表示を駆動する際に、各画像画素の原色成分毎に表示に必要な階調値を与えることにより、該原色成分の輝度を制御し、該原色成分に対応する色を表示させることにより、画像の表示を達成する。１つの画像画素において、各原色成分は２つの同一色であって隣接するサブ画素を制御する。即ち赤色成分は２つの隣接する赤色サブ画素を対応して制御し、緑色成分は２つの隣接する緑色サブ画素を対応して制御し、青色成分は２つの隣接する青色サブ画素を対応して制御する。赤色成分の元の階調値で生成された第１表示階調及び第２表示階調が対応する２つの赤色サブ画素の表示輝度をそれぞれ制御し、緑色成分の元の階調値で生成された第１表示階調及び第２表示階調が対応する２つの緑色サブ画素の表示輝度をそれぞれ制御し、青色成分の元の階調値で生成された第１表示階調及び第２表示階調が対応する２つの青色サブ画素の表示輝度をそれぞれ制御する。各画像画素の表示輝度は対応する原色成分の表示輝度の混合であり、各原色成分の表示輝度は対応する２つのサブ画素の表示輝度の混合である。一般的に、第１表示階調及び第２表示階調によって制御される２つのサブ画素の表示輝度の混合後に元の階調値によって制御される２つのサブ画素の表示輝度と一致するために、通常第１表示階調値に対応する表示輝度と第２表示階調値に対応する表示輝度との和が、元の階調値に対応する表示輝度の２倍と等しくなるように設定される。
【０００６】
従来技術では、入力されたデータ信号電圧を色ずれ補正アルゴリズムにより前処理すると、すべての画像画素に対して色ずれ補正を行い、ざらつき感が目立ち、表示効果が悪い。実際には、ユーザが表示画面を側面視で見た場合に、最も色ずれが見えやすい画面は肌色であり、ユーザが見る際により多く着目するのは画面における肌色部分である。
【発明の概要】
【発明が解決しようとする課題】
【０００７】
本発明の目的は、肌色範囲内の画像画素のみに対して色ずれ補正を行い、色ずれ補正効果を向上させ、色ずれ補正によるざらつき感を低減させ、表示効果を改善することができる表示駆動方法を提供することにある。
【０００８】
本発明の目的はさらに、肌色範囲内の画像画素のみに対して色ずれ補正を行い、色ずれ補正効果を向上させ、色ずれ補正によるざらつき感を低減させ、表示効果を改善することができる表示駆動装置を提供することにある。
【課題を解決するための手段】
【０００９】
上記の目的を達成するために、本発明は、ステップＳ１〜ステップＳ４を含む表示駆動方法を提供している。
【００１０】
ステップＳ１：表示画面を受信し、前記表示画面における各画像画素の元の階調データを取得する。
【００１１】
ステップＳ２：各画像画素の元の階調データによって前記画像画素が、予め設定された境界関数によって決定される肌色範囲内にあるか否かを判断する。
【００１２】
ステップＳ３：前記肌色範囲内にある画像画素の元の階調データに対して色ずれ補正処理を行い、補正階調データを生成する。
【００１３】
ステップＳ４：前記肌色範囲内の画像画素を補正階調データで駆動して表示し、前記肌色範囲外の画像画素を元の階調データで駆動して表示する。
【００１４】
前記画像画素のそれぞれは、第１原色成分、第２原色成分及び第３原色成分という３種の異なる色の原色成分を含む。
【００１５】
画像画素のそれぞれの元の階調データが、第１原色成分の元の階調値、第２原色成分の元の階調値及び第３原色成分の元の階調値を含む。
【００１６】
前記ステップ３は具体的に、
前記肌色範囲内にある画像画素のうち少なくとも１つの色の原色成分を対象成分として選択することと、
前記画像画素の各対象成分の元の階調値に対して色ずれ補正処理を行い、該対象成分に対応する第１表示階調値及び第２表示階調値を生成し、前記第１表示階調値が前記第２表示階調値よりも大きいことと、
前記画像画素の元の階調データにおける各対象成分の元の階調値を、各対象成分の第１表示階調値及び第２表示階調値に置き換えて、補正階調データを得ることと、を含む。
【００１７】
前記予め設定された境界関数は第１境界関数及び第２境界関数を含み、ある画像画素の第１原色成分の元の階調値、第２原色成分の元の階調値及び第３原色成分の元の階調値が、第１境界関数を満たすとともに、第２境界関数を満たす場合に、該画像画素が肌色範囲内にあると判定し、そうでない場合に、該画像画素が肌色範囲外にあると判定する。
【００１８】
前記第１境界関数は、ｒ＋Ａ１×ｇ＋Ｂ１×ｂ＋Ｃ１≧０であり、前記第２境界関数は、ｒ＋Ａ２×ｇ＋Ｂ２×ｂ＋Ｃ２≦０である。
ここで、ｒ、ｇ、ｂはある画像画素における第１原色成分の元の階調値、第２原色成分の元の階調値及び第３原色成分の元の階調値をそれぞれ表し、Ａ１、Ａ２、Ｂ１、Ｂ２、Ｃ１及びＣ２はいずれも予め設定された定数である。
【００１９】
前記予め設定された境界関数は、前記肌色範囲を閉じた３次元空間に限定し、前記肌色範囲内にあって前記３次元空間のエッジに近い第１画像画素と、前記肌色範囲にあって前記３次元空間のエッジから遠い第２画像画素とに対して、色ずれ補正処理を行う場合に、前記第１画像画素における色毎の対象成分の第１表示階調値と第２表示階調値との差が、前記第２画像画素における同一色の対象成分の第１表示階調値と第２表示階調値との差よりも小さくする。
【００２０】
本発明はさらに、受信ユニットと、前記受信ユニットに接続される判断ユニットと、前記判断ユニットに接続される処理ユニットと、前記処理ユニットに接続される駆動ユニットとを含む表示駆動装置を提供している。
【００２１】
前記受信ユニットは、表示画面を受信して、前記表示画面における各画像画素の元の階調データを取得するために用いられる。
【００２２】
前記判断ユニットは、各画像画素の元の階調データによって前記画像画素が、予め設定された境界関数によって決定される肌色範囲内にあるか否かを判断するために用いられる。
【００２３】
前記処理ユニットは、前記肌色範囲内にある画像画素の元の階調データに対して色ずれ補正処理を行い、補正階調データを生成するために用いられる。
【００２４】
前記駆動ユニットは、前記肌色範囲内の画像画素を補正階調データで駆動して表示し、前記肌色範囲外の画像画素を元の階調データで駆動して表示するために用いられる。
【００２５】
前記画像画素のそれぞれは、第１原色成分、第２原色成分及び第３原色成分という３種の異なる色の原色成分を含む。
【００２６】
画像画素のそれぞれの元の階調データが、第１原色成分の元の階調値、第２原色成分の元の階調値及び第３原色成分の元の階調値を含む。
【００２７】
前記処理ユニットは、前記肌色範囲内にある画像画素のうち少なくとも１つの色の原色成分を対象成分として選択するとともに、前記画像画素の各対象成分の元の階調値に対して色ずれ補正処理を行い、該対象成分に対応する第１表示階調値及び第２表示階調値を生成し、前記第１表示階調値が前記第２表示階調値よりも大きくて、前記画像画素の元の階調データにおける各対象成分の元の階調値を、各対象成分の第１表示階調値及び第２表示階調値に置き換えて、補正階調データを得るために用いられる。
【００２８】
前記予め設定された境界関数は第１境界関数及び第２境界関数を含み、ある画像画素の第１原色成分の元の階調値、第２原色成分の元の階調値及び第３原色成分の元の階調値が、第１境界関数を満たすとともに、第２境界関数を満たす場合に、該画像画素が肌色範囲内にあると判定し、そうでない場合に、該画像画素が肌色範囲外にあると判定する。
【００２９】
前記第１境界関数は、ｒ＋Ａ１×ｇ＋Ｂ１×ｂ＋Ｃ１≧０であり、前記第２境界関数は、ｒ＋Ａ２×ｇ＋Ｂ２×ｂ＋Ｃ２≦０である。
ここで、ｒ、ｇ、ｂはある画像画素における第１原色成分の元の階調値、第２原色成分の元の階調値及び第３原色成分の元の階調値をそれぞれ表し、Ａ１、Ａ２、Ｂ１、Ｂ２、Ｃ１及びＣ２はいずれも予め設定された定数である。
【００３０】
前記予め設定された境界関数は、前記肌色範囲を閉じた３次元空間に限定し、前記肌色範囲内にあって前記３次元空間のエッジに近い第１画像画素と、前記肌色範囲にあって前記３次元空間のエッジから遠い第２画像画素とに対して、前記処理ユニットが色ずれ補正処理を行う場合に、さらに前記第１画像画素における色毎の対象成分の第１表示階調値と第２表示階調値との差が、前記第２画像画素における同一色の対象成分の第１表示階調値と第２表示階調値との差よりも小さくするために用いられる。
【００３１】
本発明は、ステップＳ１〜ステップＳ４を含む表示駆動方法をさらに提供している。
【００３２】
ステップＳ１：表示画面を受信し、前記表示画面における各画像画素の元の階調データを取得する。
【００３３】
ステップＳ２：各画像画素の元の階調データによって前記画像画素が、予め設定された境界関数によって決定される肌色範囲内にあるか否かを判断する。
【００３４】
ステップＳ３：前記肌色範囲内にある画像画素の元の階調データに対して色ずれ補正処理を行い、補正階調データを生成する。
【００３５】
ステップＳ４：前記肌色範囲内の画像画素を補正階調データで駆動して表示し、前記肌色範囲外の画像画素を元の階調データで駆動して表示する。
【００３６】
前記画像画素のそれぞれは、第１原色成分、第２原色成分及び第３原色成分という３種の異なる色の原色成分を含む。
【００３７】
画像画素のそれぞれの元の階調データが、第１原色成分の元の階調値、第２原色成分の元の階調値及び第３原色成分の元の階調値を含む。
【００３８】
前記ステップ３は具体的に、
前記肌色範囲内にある画像画素のうち少なくとも１つの色の原色成分を対象成分として選択することと、
前記画像画素の各対象成分の元の階調値に対して色ずれ補正処理を行い、該対象成分に対応する第１表示階調値及び第２表示階調値を生成し、前記第１表示階調値が前記第２表示階調値よりも大きいことと、
前記画像画素の元の階調データにおける各対象成分の元の階調値を、各対象成分の第１表示階調値及び第２表示階調値に置き換えて、補正階調データを得ることと、を含む。
【００３９】
前記予め設定された境界関数は第１境界関数及び第２境界関数を含み、ある画像画素の第１原色成分の元の階調値、第２原色成分の元の階調値及び第３原色成分の元の階調値が、第１境界関数を満たすとともに、第２境界関数を満たす場合に、該画像画素が肌色範囲内にあると判定し、そうでない場合に、該画像画素が肌色範囲外にあると判定する。
【００４０】
前記第１境界関数は、ｒ＋Ａ１×ｇ＋Ｂ１×ｂ＋Ｃ１≧０であり、前記第２境界関数は、ｒ＋Ａ２×ｇ＋Ｂ２×ｂ＋Ｃ２≦０である。
ここで、ｒ、ｇ、ｂはある画像画素における第１原色成分の元の階調値、第２原色成分の元の階調値及び第３原色成分の元の階調値をそれぞれ表し、Ａ１、Ａ２、Ｂ１、Ｂ２、Ｃ１及びＣ２はいずれも予め設定された定数である。
【００４１】
前記予め設定された境界関数は、前記肌色範囲を閉じた３次元空間に限定し、前記肌色範囲内にあって前記３次元空間のエッジに近い第１画像画素と、前記肌色範囲にあって前記３次元空間のエッジから遠い第２画像画素とに対して、色ずれ補正処理を行う場合に、前記第１画像画素における色毎の対象成分の第１表示階調値と第２表示階調値との差が、前記第２画像画素における同一色の対象成分の第１表示階調値と第２表示階調値との差よりも小さくする。
【発明の効果】
【００４２】
本発明の有益な効果は、本発明に係る表示駆動方法が各画像画素の元の階調データによって各画像画素が肌色範囲内にあるか否かを判断することができ、色ずれ補正処理を行う際に、前記肌色範囲内にある画像画素のみに対して色ずれ補正処理を行い、残りの画像画素に対して色ずれ補正処理を行わず、色ずれ補正効果を向上させ、色ずれ補正によるざらつき感を低減させ、表示効果を改善することができる。本発明に係る表示駆動装置はさらに、色ずれ補正効果を向上させ、色ずれ補正によるざらつき感を低減させ、表示効果を改善することができる。
【図面の簡単な説明】
【００４３】
本発明の特徴及び技術的内容をより一層明らかにするために、以下の本発明に関する詳細な説明及び添付図面を参照するが、添付図面は、参照及び説明のためのものに過ぎず、本発明を限定するものではない。
【図１】図１は本発明に係る表示駆動方法のフローチャートである。
【図２】図２は本発明に係る表示駆動装置の概略図である。
【発明を実施するための形態】
【００４４】
以下、本発明に用いられた技術的手段及びその効果をより明らかにするために、本発明の好ましい実施例及び添付図面を参照して詳細に説明する。
【００４５】
図１を参照すると、本発明に係る表示駆動方法は、垂直配向（Ｖｅｒｔｉｃａｌ  Ａｌｉｇｎｍｅｎｔ，ＶＡ）型液晶表示パネルに適用され、垂直配向型液晶表示パネルの視野角不足を改善し、インプレーンスイッチング（Ｉｎ−Ｐｌａｎｅ  Ｓｗｉｔｃｈｉｎｇ，ＩＰＳ）型液晶表示パネルに対するＶＡ型液晶表示パネルの視野角の差を補い、色ずれ補正処理によるざらつき感を低減させ、ＶＡ型液晶表示パネルが広視野角を有するとともに、さらに優れた表示効果を有する。
【００４６】
前記表示駆動方法は、具体的にステップＳ１〜ステップＳ４を含む。
【００４７】
ステップＳ１：表示画面を受信し、前記表示画面における各画像画素の元の階調データを取得する。
【００４８】
具体的には、前記表示画像は複数の画像画素からなる。画像画素のそれぞれは、第１原色成分、第２原色成分及び第３原色成分という３種の異なる色の原色成分を含む。前記画像画素の元の階調データは第１原色成分、第２原色成分及び第３原色成分の元の階調値を含む。各画像画素の原色成分毎に表示に必要な階調値を与えることにより、該原色成分の輝度を制御し、さらに該原色成分に対応する色を表示させることにより、画像の表示を達成する。好ましくは、前記第１原色成分、第２原色成分及び第３原色成分はそれぞれ赤色成分、緑色成分及び青色成分である。
【００４９】
さらに、各画像画素における色毎の原色成分は表示パネルにおける２つの同一色であって隣接するサブ画素の表示を制御する。即ち１つの画像画素は、６つのサブ画素を含み、２つずつのサブ画素が１つの原色成分に対応する。例えば：１つの画像画素は、２つの隣接する赤色サブ画素、２つの隣接する緑色サブ画素及び２つの隣接する青色サブ画素を含む。前記赤色成分、緑色成分及び青色成分は、それぞれ前記２つの隣接する赤色サブ画素、２つの隣接する緑色サブ画素及び２つの隣接する青色サブ画素の表示を制御するために用いられる。
【００５０】
具体的には、第１原色成分、第２原色成分及び第３原色成分の元の階調値の取り得る範囲は、いずれも０〜２５５である。
【００５１】
ステップＳ２：各画像画素の元の階調データによって前記画像画素が、予め設定された境界関数によって決定される肌色範囲内にあるか否かを判断する。
【００５２】
具体的には、前記予め設定された境界関数は、第１境界関数及び第２境界関数を含む。
【００５３】
前記ステップＳ２で各画像画素が肌色範囲内にあるか否かを判断する具体的な過程は、ある画像画素の第１原色成分、第２原色成分及び第３原色成分の元の階調値を第１境界関数に代入する。該画像画素の第１原色成分、第２原色成分及び第３原色成分の元の階調値が第１境界関数を満たさない場合、該画像画素が肌色範囲外にあると判定する。該画像画素の第１原色成分、第２原色成分及び第３原色成分の元の階調値が第１境界関数を満たす場合、引き続き画像画素の第１原色成分、第２原色成分及び第３原色成分の元の階調値を第２境界関数に代入する。該画像画素の第１サブ画素、第２サブ画素及び第３サブ画素の階調値が第２境界関数をさらに満たす場合、該画像画素が肌色範囲内にあると判定し、そうでない場合該画像画素が肌色範囲外にあると判定する。
【００５４】
つまり、ある画像画素の第１原色成分、第２原色成分及び第３原色成分の元の階調値が、第１境界関数を満たすとともに、第２境界関数を満たす場合に、該画像画素が肌色範囲内にあると判定し、そうでない場合に、該画像画素が肌色範囲外にあると判定する。
【００５５】
例えば、本発明のいくつかの実施例では、前記第１境界関数は、ｒ＋Ａ１×ｇ＋Ｂ１×ｂ＋Ｃ１≧０であり、前記第２境界関数は、ｒ＋Ａ２×ｇ＋Ｂ２×ｂ＋Ｃ２≦０である。
ここで、ｒ、ｇ、ｂはある画像画素における第１サブ画素、第２サブ画素及び第３サブ画素の元の階調値をそれぞれ表し、ｒ、ｇ及びｂの値はいずれも０〜２５５である。Ａ１、Ａ２、Ｂ１、Ｂ２、Ｃ１及びＣ２はいずれも予め設定された定数である。例えば、本発明のいくつかの実施例では、Ａ１、Ａ２、Ｂ１、Ｂ２、Ｃ１及びＣ２の値はそれぞれ−１、−４、０、−２、０及び３１５である場合、第１境界関数はｒ−ｇ≧０であり、第２境界関数はｒ−４ｇ−２ｂ＋３１５≦０である。この場合に、１つの画像画素における第１原色成分、第２原色成分及び第３原色成分の元の階調値ｒ、ｇ及びｂを前記第１境界関数及び第２境界関数に代入すると、該画像画素が肌色範囲内にあるか否かを判断することができる。
【００５６】
ステップＳ３：前記肌色範囲内にある画像画素の元の階調データに対して色ずれ補正処理を行い、補正階調データを生成する。
【００５７】
具体的には、前記ステップＳ３は、前記肌色範囲内にある画像画素のうち少なくとも１つの色の原色成分を対象成分として選択し、残りの色の対象成分を非対象成分とすることと、
前記画像画素の各対象成分の元の階調値に対して色ずれ補正処理を行い、該対象成分に対応する第１表示階調値及び第２表示階調値を生成し、前記第１表示階調値が前記第２表示階調値よりも大きいことと、
前記画像画素の元の階調データにおける各対象成分の元の階調値を、各対象成分の第１表示階調値及び第２表示階調値に置き換えて、補正階調データを得ることと、を含む。
【００５８】
本発明の好ましい実施例では、前記ステップＳ３では前記肌色範囲内にある画像画素における青色成分を対象成分として選択し、赤色成分及び緑色成分を非対象成分とする。この場合、前記ステップＳ３では前記肌色範囲内にある前記画像画素における青色成分のみに対して色ずれ補正処理を行い、前記青色成分に対応する第１表示階調値及び第２表示階調値を生成する。前記画像画素の元の階調データにおける青色成分の元の階調値を青色成分の第１表示階調値及び第２表示階調値に置き換えることで、補正階調データを得る。前記補正階調データ、は青色成分の第１表示階調値及び第２表示階調値、赤色成分の元の階調値及び緑色成分の元の階調値を含む。
【００５９】
なお、本発明において予め設定された境界関数は、前記肌色範囲を閉じた３次元空間に限定し、肌色画面の表示効果を改善するために、本発明はさらに前記肌色範囲内にあって前記３次元空間のエッジに近い第１画像画素と、前記肌色範囲にあって前記３次元空間のエッジから遠い第２画像画素とに対して、色ずれ補正処理を行う。この場合に、前記第１画像画素における色毎の対象成分の第１表示階調値と第２表示階調値との差が、前記第２画像画素における同一色の対象成分の第１表示階調値と第２表示階調値との差よりも小さくする。これにより、肌色範囲のエッジから肌色範囲の中心まで、画像画素の色ずれ補正の程度を徐々に増大させる効果が設定される。したがって、上記本発明の好ましい実施例に対応して、前記第１画像画素における青色成分の第１表示階調値と第２表示階調値との差が、前記第２画像画素における青色成分の第１表示階調値と第２表示階調値との差よりも小さくする。
【００６０】
また、本発明の他の実施例では、さらに他の色の原色成分、例えば赤色成分又は緑色成分を対象成分として設定することができ、又は２色の原色成分、例えば、赤色成分と緑色成分、赤色成分と青色成分及び緑色成分と青色成分を対象成分として設定することができ、又は３色の原色成分を対象成分として設定し、即ち赤色成分、緑色成分及び青色成分を対象成分とする。１色よりも多い原色成分を対象成分として設定する場合、異なる色の対象成分の第１表示階調値と第２表示階調値との間の差を必要に応じて調整し、即ち異なる色の対象成分の色ずれ補正の程度は必要に応じて独立して調整することができる。
【００６１】
ステップＳ４：前記肌色範囲内の画像画素を補正階調データで駆動して表示し、前記肌色範囲外の画像画素を元の階調データで駆動して表示する。
【００６２】
具体的には、前記ステップＳ４では前記肌色範囲内の画像画素を補正階調データで駆動して表示することは、
対象成分の第１表示階調値及び第２表示階調値で前記対象成分に対応する２つのサブ画素を駆動して該対象成分の第１表示階調値及び第２表示階調値をそれぞれ表示することと、
各非対象成分に対応する２つのサブ画素を各非対象成分の元の階調値で駆動して該非対象成分の元の階調値を表示することと、を含む。
【００６３】
前記ステップＳ４では、前記肌色範囲外の画像画素を元の階調データで駆動して表示することは、前記肌色範囲外の画像画素における各原色成分の元の階調値で、各原色成分に対応する２つのサブ画素に対応する元の階調値を駆動することを含む。
【００６４】
上述した好ましい実施例を例に説明すると、前記肌色範囲内にある画像画素、即ち前記青色成分の第１表示階調値及び第２表示階調値で前記青色成分に対応する２つの青色サブ画素を駆動して前記青色成分の第１表示階調値及び第２表示階調値をそれぞれ表示し、赤色成分の元の階調値で前記赤色成分に対応する２つの赤色サブ画素を駆動して前記赤色成分の元の階調値を表示し、緑色成分の元の階調値で前記緑色成分に対応する２つの緑色サブ画素を駆動して前記緑色成分の元の階調値を表示する。
【００６５】
前記肌色範囲外にある画像画素については、即ち赤色成分の元の階調値で前記赤色成分に対応する２つの赤色サブ画素を駆動して前記赤色成分の元の階調値を表示し、緑色成分の元の階調値で前記緑色成分に対応する２つの緑色サブ画素を駆動して前記緑色成分の元の階調値を表示し、青色成分の元の階調値で前記青色成分に対応する２つの青色サブ画素を駆動して前記青色成分の元の階調値を表示する。
【００６６】
図２を参照すると、本発明に係る表示駆動装置はさらに、垂直配向（Ｖｅｒｔｉｃａｌ  Ａｌｉｇｎｍｅｎｔ，ＶＡ）型液晶表示パネルに適用され、垂直配向型液晶表示パネルの視野角不足を改善し、インプレーンスイッチング（Ｉｎ−Ｐｌａｎｅ  Ｓｗｉｔｃｈｉｎｇ，ＩＰＳ）型液晶表示パネルに対するＶＡ型液晶表示パネルの視野角の差を補い、色ずれ補正処理によるざらつき感を低減させ、ＶＡ型液晶表示パネルが広視野角を有するとともに、さらに優れた表示効果を有する。
【００６７】
前記表示駆動装置は、受信ユニット１０と、前記受信ユニット１０に接続される判断ユニット２０と、前記判断ユニット２０に接続される処理ユニット３０と、前記処理ユニット３０に接続される駆動ユニット４０とを含む。
【００６８】
前記受信ユニット１０は、表示画面を受信して、前記表示画面における各画像画素の元の階調データを取得するために用いられる。
【００６９】
具体的には、前記表示画像は複数の画像画素からなる。画像画素のそれぞれは、第１原色成分、第２原色成分及び第３原色成分という３種の異なる色の原色成分を含む。前記画像画素の元の階調データは第１原色成分、第２原色成分及び第３原色成分の元の階調値を含む。各画像画素の原色成分毎に表示に必要な階調値を与えることにより、該原色成分の輝度を制御し、さらに該原色成分に対応する色を表示させることにより、画像の表示を達成する。好ましくは、前記第１原色成分、第２原色成分及び第３原色成分はそれぞれ赤色成分、緑色成分及び青色成分である。
【００７０】
さらに、各画像画素における色毎の原色成分は表示パネルにおける２つの同一色であって隣接するサブ画素の表示を制御する。即ち１つの画像画素は、６つのサブ画素を含み、２つずつのサブ画素が１つの原色成分に対応する。例えば：１つの画像画素は、２つの隣接する赤色サブ画素、２つの隣接する緑色サブ画素及び２つの隣接する青色サブ画素を含む。前記赤色成分、緑色成分及び青色成分は、それぞれ前記２つの隣接する赤色サブ画素、２つの隣接する緑色サブ画素及び２つの隣接する青色サブ画素の表示を制御するために用いられる。
【００７１】
具体的には、第１原色成分、第２原色成分及び第３原色成分の元の階調値の取り得る範囲は、いずれも０〜２５５である。
【００７２】
前記判断ユニット２０は、各画像画素の元の階調データによって前記画像画素が、予め設定された境界関数によって決定される肌色範囲内にあるか否かを判断するために用いられる。
【００７３】
具体的には、前記予め設定された境界関数は、第１境界関数及び第２境界関数を含む。
【００７４】
前記判断ユニット２０により各画像画素が肌色範囲内にあるか否かを判断する具体的な過程は、ある画像画素の第１原色成分、第２原色成分及び第３原色成分の元の階調値を第１境界関数に代入する。該画像画素の第１原色成分、第２原色成分及び第３原色成分の元の階調値が第１境界関数を満たさない場合、該画像画素が肌色範囲外にあると判定する。該画像画素の第１原色成分、第２原色成分及び第３原色成分の元の階調値が第１境界関数を満たす場合、引き続き画像画素の第１原色成分、第２原色成分及び第３原色成分の元の階調値を第２境界関数に代入する。該画像画素の第１サブ画素、第２サブ画素及び第３サブ画素の階調値が第２境界関数をさらに満たす場合、該画像画素が肌色範囲内にあると判定し、そうでない場合該画像画素が肌色範囲外にあると判定する。
【００７５】
つまり、ある画像画素の第１原色成分、第２原色成分及び第３原色成分の元の階調値が、第１境界関数を満たすとともに、第２境界関数を満たす場合に、該画像画素が肌色範囲内にあると判定し、そうでない場合に、該画像画素が肌色範囲外にあると判定する。
【００７６】
例えば、本発明のいくつかの実施例では、前記第１境界関数は、ｒ＋Ａ１×ｇ＋Ｂ１×ｂ＋Ｃ１≧０であり、前記第２境界関数は、ｒ＋Ａ２×ｇ＋Ｂ２×ｂ＋Ｃ２≦０である。
ここで、ｒ、ｇ、ｂはある画像画素における第１サブ画素、第２サブ画素及び第３サブ画素の元の階調値をそれぞれ表し、ｒ、ｇ及びｂの値はいずれも０〜２５５である。Ａ１、Ａ２、Ｂ１、Ｂ２、Ｃ１及びＣ２はいずれも予め設定された定数である。例えば、本発明のいくつかの実施例では、Ａ１、Ａ２、Ｂ１、Ｂ２、Ｃ１及びＣ２の値はそれぞれ−１、−４、０、−２、０及び３１５である場合に、第１境界関数はｒ−ｇ≧０であり、第２境界関数はｒ−４ｇ−２ｂ＋３１５≦０である。この場合に、１つの画像画素における第１原色成分、第２原色成分及び第３原色成分の元の階調値ｒ、ｇ及びｂを前記第１境界関数及び第２境界関数に代入すると、該画像画素が肌色範囲内にあるか否かを判断することができる。
【００７７】
前記処理ユニット３０は、前記肌色範囲内にある画像画素の元の階調データに対して色ずれ補正処理を行い、補正階調データを生成するために用いられる。
【００７８】
具体的には、前記処理ユニット３０により補正階調データを生成する過程は、前記肌色範囲内にある画像画素のうち少なくとも１つの色の原色成分を対象成分として選択し、残りの色の対象成分を非対象成分とすることと、
前記画像画素の各対象成分の元の階調値に対して色ずれ補正処理を行い、該対象成分に対応する第１表示階調値及び第２表示階調値を生成し、前記第１表示階調値が前記第２表示階調値よりも大きいことと、
前記画像画素の元の階調データにおける各対象成分の元の階調値を、各対象成分の第１表示階調値及び第２表示階調値に置き換えて、補正階調データを得ることと、を含む。
【００７９】
本発明の好ましい実施例では、前記処理ユニット３０により前記肌色範囲内にある画像画素における青色成分を対象成分として選択し、赤色成分及び緑色成分を非対象成分とする。この場合に、前記処理ユニット３０は前記肌色範囲内にある前記画像画素における青色成分のみに対して色ずれ補正処理を行い、前記青色成分に対応する第１表示階調値及び第２表示階調値を生成する。前記画像画素の元の階調データにおける青色成分の元の階調値を青色成分の第１表示階調値及び第２表示階調値に置き換えることで、補正階調データを得る。前記補正階調データは青色成分の第１表示階調値及び第２表示階調値、赤色成分の元の階調値及び緑色成分の元の階調値を含む。
【００８０】
なお、本発明において予め設定された境界関数は、前記肌色範囲を閉じた３次元空間に限定し、肌色画面の表示効果を改善するために、本発明はさらに前記肌色範囲内にあって前記３次元空間のエッジに近い第１画像画素と、前記肌色範囲にあって前記３次元空間のエッジから遠い第２画像画素とに対して、前記処理ユニット３０が色ずれ補正処理を行う。この場合に、前記第１画像画素における色毎の対象成分の第１表示階調値と第２表示階調値との差が、前記第２画像画素における同一色の対象成分の第１表示階調値と第２表示階調値との差よりも小さくする。これにより、肌色範囲のエッジから肌色範囲の中心まで、画像画素の色ずれ補正の程度を徐々に増大させる効果が設定される。したがって、上記本発明の好ましい実施例に対応して、前記第１画像画素における青色成分の第１表示階調値と第２表示階調値との差が、前記第２画像画素における青色成分の第１表示階調値と第２表示階調値との差よりも小さくする。
【００８１】
また、本発明の他の実施例では、さらに他の色の原色成分、例えば赤色成分又は緑色成分を対象成分として設定することができ、又は２色の原色成分、例えば、赤色成分と緑色成分、赤色成分と青色成分及び緑色成分と青色成分を対象成分として設定することができ、又は３色の原色成分を対象成分として設定し、即ち赤色成分、緑色成分及び青色成分を対象成分とする。１色よりも大きい原色成分を対象成分として設定する場合に、異なる色の対象成分の第１表示階調値と第２表示階調値との間の差が必要に応じて設定し、同一でも異なっていてもよく、即ち異なる色の対象成分の色ずれ補正の程度は同一でも異なっていてもよい。
【００８２】
前記駆動ユニット４０は、前記肌色範囲内の画像画素を補正階調データで駆動して表示し、前記肌色範囲外の画像画素を元の階調データで駆動して表示するために用いられる。
【００８３】
具体的には、前記駆動ユニット４０は前記肌色範囲内の画像画素を補正階調データで駆動して表示することは、
対象成分の第１表示階調値及び第２表示階調値で前記対象成分に対応する２つのサブ画素を駆動して該対象成分の第１表示階調値及び第２表示階調値をそれぞれ表示することと、
各非対象成分に対応する２つのサブ画素を各非対象成分の元の階調値で駆動して該非対象成分の元の階調値を表示することと、を含む。
【００８４】
前記駆動ユニット４０は、前記肌色範囲外の画像画素を元の階調データで駆動して表示することは、前記肌色範囲外の画像画素における各原色成分の元の階調値で、各原色成分に対応する２つのサブ画素に対応する元の階調値を駆動することを含む。
【００８５】
上述した好ましい実施例を例に説明すると、前記肌色範囲内にある画像画素、即ち前記青色成分の第１表示階調値及び第２表示階調値で前記青色成分に対応する２つの青色サブ画素を駆動して前記青色成分の第１表示階調値及び第２表示階調値をそれぞれ表示し、赤色成分の元の階調値で前記赤色成分に対応する２つの赤色サブ画素を駆動して前記赤色成分の元の階調値を表示し、緑色成分の元の階調値で前記緑色成分に対応する２つの緑色サブ画素を駆動して前記緑色成分の元の階調値を表示する。
【００８６】
前記肌色範囲外にある画像画素については、即ち赤色成分の元の階調値で前記赤色成分に対応する２つの赤色サブ画素を駆動して前記赤色成分の元の階調値を表示し、緑色成分の元の階調値で前記緑色成分に対応する２つの緑色サブ画素を駆動して前記緑色成分の元の階調値を表示し、青色成分の元の階調値で前記青色成分に対応する２つの青色サブ画素を駆動して前記青色成分の元の階調値を表示する。
【００８７】
以上のようにして、本発明に係る表示駆動方法は各画像画素の元の階調データによって各画像画素が肌色範囲内にあるか否かを判断することができ、色ずれ補正処理を行う際に、前記肌色範囲内にある画像画素のみに対して色ずれ補正処理を行い、残りの画像画素に対して色ずれ補正処理を行わず、色ずれ補正効果を向上させ、色ずれ補正によるざらつき感を低減させ、表示効果を改善することができる。本発明に係る表示駆動装置はさらに、色ずれ補正効果を向上させ、色ずれ補正によるざらつき感を低減させ、表示効果を改善することができる。
【００８８】
上記の内容は、当業者にとっては、本発明の技術的手段及び技術的思想に基づいて他の様々な変更及び変形を行うことができるが、これらの変更及び変形も全て本発明の特許請求の保護範囲に属するものと理解されるべきである。
【図１】
2021505079.tif 000003
【図２】
2021505079.tif 000004
【国際調査報告】
2021505079.tif 000005
2021505079.tif 000006
2021505079.tif 000007
2021505079.tif 000008